(57)【特許請求の範囲】
【請求項１】
電気配線基板が配置された空間が筒状のハウジングにより外装され、前記電気配線基板を囲む金属製のシールド部材が前記ハウジングの内側に設けられた内視鏡の電気コネクタ装置において、
前記電気配線基板が支持される金属製のフレームが前記電気配線基板の外縁部の周囲を囲む状態に設けられると共に、
前記電気配線基板以外の内部部品を支持するために前記ハウジング内に配置された二枚の金属製の支持板が、シールド部材として前記電気配線基板の表裏両面に個別に面して前記フレームに個別に着脱自在に設けられている、
内視鏡の電気コネクタ装置。
【請求項２】
前記二枚の支持板のうちの一枚が、フェライトコアを支持するためのものである、
請求項１に記載の内視鏡の電気コネクタ装置。
【請求項３】
前記二枚の支持板のうちの一枚が、光ファイバをループ状に丸めて通過させることができるファイバ収納ケースの床板である、
請求項１又は請求項２に記載の内視鏡の電気コネクタ装置。
【発明の詳細な説明】
【技術分野】
【０００１】
この発明は、内視鏡と外部装置とを電気的に接続するために内視鏡側に設けられた内視鏡の電気コネクタ装置に関する。
【背景技術】
【０００２】
内視鏡の電気コネクタ装置においては一般に、電気配線基板が配置された空間が筒状のハウジングにより外装され、電気的ノイズを遮蔽するための金属製のシールド部材が、電気配線基板を囲む筒状に形成されてハウジングの内側に配置されている。
【０００３】
そのようなシールド部材は、シールド部材の存在により内視鏡の電気コネクタ装置が大型化してしまわないように、ハウジングの内壁面にピッタリ沿う状態で電気配線や光ファイバ等との間に余分な空間が極力生じないように配置されている（例えば、特許文献１、２）。
【先行技術文献】
【特許文献】
【０００４】
【特許文献１】特開２００５−１９８７３３
【特許文献２】特開２００５−８７６６１
【発明の概要】
【発明が解決しようとする課題】
【０００５】
筒状に形成された従来のシールド部材は、組み立て時や修理、調整の際の分解組立時等にはスライドさせて着脱される。そのため、その内側に詰め込まれた状態になっている配線や光ファイバ等をスライド部の隙間に挟み込んで破損させてしまうことがあった。
【０００６】
また、修理や調整等の際に手を加えたいのは配線基板の表裏両面のうちの一方である場合が少なくないが、筒状に形成されたシールド部材は配線基板の表裏両面に同時に着脱されることになるので、手を加える必要のない側において配線や光ファイバ等の破損をまねいてしまう場合もあった。
【０００７】
本発明は、従来のそのような欠点を解消して、シールド部材を着脱する際に内部の配線や光ファイバ等を破損するおそれが少なくて、内部の部品に容易にアクセスすることができる内視鏡の電気コネクタ装置を提供することを目的とする。
【課題を解決するための手段】
【０００８】
上記の目的を達成するため、本発明の内視鏡の電気コネクタ装置は、電気配線基板が配置された空間が筒状のハウジングにより外装され、電気配線基板を囲む金属製のシールド部材がハウジングの内側に設けられた内視鏡の電気コネクタ装置において、電気配線基板が支持される金属製のフレームが電気配線基板の外縁部の周囲を囲む状態に設けられると共に、電気配線基板以外の内部部品を支持するためにハウジング内に配置された二枚の金属製の支持板が、シールド部材として電気配線基板の表裏両面に個別に面して個別に着脱自在に設けられているものである。
【０００９】
なお、二枚の支持板のうちの一枚が、フェライトコアを支持するためのものであってもよく、二枚の支持板のうちの一枚が、光ファイバをループ状に丸めて通過させることができるファイバ収納ケースの床板であってもよい。
【発明の効果】
【００１０】
本発明によれば、電気配線基板が支持される金属製のフレームが電気配線基板の外縁部の周囲を囲む状態に設けられると共に、電気配線基板以外の内部部品を支持するためにハウジング内に配置された二枚の金属製の支持板が、シールド部材として電気配線基板の表裏両面に個別に面して個別に着脱自在に設けられていることにより、シールド部材を着脱する際に内部の配線や光ファイバ等を破損するおそれが少なくて、内部の部品に容易にアクセスすることができる。
【図面の簡単な説明】
【００１１】
【図１】本発明の実施例に係る内視鏡の全体構成図である。
【図２】本発明の実施例に係る内視鏡の電気コネクタ装置の外観斜視図である。
【図３】本発明の実施例に係る内視鏡の電気コネクタ装置の側面断面図である。
【図４】本発明の実施例に係る内視鏡の電気コネクタ装置の斜視断面図である。
【図５】本発明の実施例に係る内視鏡の電気コネクタ装置からハウジングが取り外された状態の斜視図である。
【図６】本発明の実施例に係る内視鏡の電気コネクタ装置からハウジングが取り外された状態の斜視図である。
【図７】本発明の実施例に係る内視鏡の電気コネクタ装置の分解斜視図である。
【図８】本発明の実施例に係る内視鏡の電気コネクタ装置の分解斜視図である。
【発明を実施するための形態】
【００１２】
以下、図面を参照して本発明の実施例を説明する。
図１は、内視鏡の全体構成を示しており、可撓性の挿入部１の基端が操作部２の下端に連結されている。                    
【００１３】
操作部２の上端部近くから延出する連結可撓管３の先端には、図示されていないビデオプロセッサに着脱自在に接続されるメインコネクタ部４が取り付けられている。メインコネクタ部４には、ライトガイドコネクタ５や撮像信号用コネクタ６等が配置されている。
【００１４】
連結可撓管３の基部付近から分岐する状態に設けられた分岐可撓管７の先端には、図示されていない外部装置（例えば、顕微鏡的拡大観察を行うための共焦点制御プロセッサ等）に着脱自在に接続される第２コネクタ部１０が取り付けられている。
【００１５】
この実施例においては、その第２コネクタ部１０に本発明が適用されている。ただし、本発明をメインコネクタ部４或いはそれ以外の目的で設けられた内視鏡の電気コネクタ装置に適用しても差し支えない。
【００１６】
図２は第２コネクタ部１０の外観斜視図、図３と図４はその側面断面図と斜視断面図である。この第２コネクタ部１０においては、電気配線基板１１が配置された空間が筒状のハウジング１２により外装されている。
【００１７】
ハウジング１２の先端開口部１２ａには、図示されていない外部装置と着脱自在に接続されるコネクタ筒体１３の基部を支持するコネクタ筒体支持盤１４の外縁部が、全周にわたって水密に係合する状態に取り付けられている。図２に示される１５は、外部装置側の案内溝と係合する係合ピンである。
【００１８】
図３等に示されるように、電気配線基板１１には、その表裏両面に各種の電子部品や配線が取り付けられている。なお、本明細書においては、図３における上方を表側、下方を裏側というものとする。
【００１９】
ハウジング１２内には、ノイズ除去用のフェライトコア１６等が電気配線基板１１の表側の空間に配置され、レーザビームを伝送するためのシングルモードの光ファイバ１７の途中の部分を収納するファイバ収納ケース１８等が裏側の空間に配置されている。
【００２０】
図５と図６は、ハウジング１２が取り外された状態の第２コネクタ部１０の斜視図であり、図５は表側の状態、図６は裏側の状態を示している。２０は、導電性を有する例えばステンレス板材等のような金属板によって矩形の枠状に形成されたフレームである。電気配線基板１１をはじめ、第２コネクタ部１０を構成する主要な部材がフレーム２０に直接又は間接的に固定されている。
【００２１】
フレーム２０は、電気配線基板１１の外縁部の周囲を囲む状態に設けられており、図３〜図６等から明らかなように、電気配線基板１１は、フレーム２０の周壁部の内側にすっぽり囲まれた状態に配置されている。その結果、電気配線基板１１の面に沿う方向のノイズの出入りがフレーム２０により遮蔽される。
【００２２】
フェライトコア１６は、導電性を有する例えばステンレス板材等からなる第１の支持板２１に固定された状態に支持されている。フェライトコア１６は、第１の支持板２１のハウジング１２の内壁に面する側の面（即ち、電気配線基板１１に面する側と反対側の面）に取り付けられていて、コネクタ筒体１３に設けられた接点ピン１３ａと電気配線基板１１上の配線とを接続するための配線２２が、円筒状に形成されたフェライトコア１６内を通過している。
【００２３】
第１の支持板２１は、電気配線基板１１の表面に配置された電子部品等との間に隙間をあけた状態で、電気配線基板１１の表面に面して配置されていて、４本の固定ビス２３によりフレーム２０に着脱自在に固定されている。
【００２４】
導電性を有する第１の支持板２１は、電気配線基板１１よりは小さいが電気配線基板１１と大差のないサイズ（少なくとも、電気配線基板１１の表面側に電子部品が配置されている範囲より小さくないサイズ）に形成されている。ただし、電気配線基板１１より大きくても差し支えない。その結果、第１の支持板２１は、電気配線基板１１の表面側にノイズが出入りするのを遮蔽するシールド部材として機能する。
【００２５】
図７は、第１の支持板２１がフレーム２０から取り外された状態を示しており、４本の固定ビス２３を緩めることで、第１の支持板２１を電気配線基板１１の面に対して垂直方向に取り外すことができる。また、４本の固定ビス２３を締め込むことで、第１の支持板２１をフレーム２０に固定することができる。２１ａは、フェライトコア１６を位置決め固定するために第１の支持板２１に形成された固定孔である。
【００２６】
図３、図４及び図６に戻って、電気配線基板１１の裏側の空間に配置されたファイバ収納ケース１８は、コネクタ筒体１３に設けられたフェルール１３ｂから分岐可撓管７内に引き通されている光ファイバ１７の途中の部分をループ状に丸めて収納するためのものであり、光ファイバ１７が通過する両端部に各々ファイバ通過孔１８ａが形成されている。
【００２７】
ファイバ収納ケース１８は、導電性を有する例えばステンレス板材等からなる第２の支持板２４と、その第２の支持板２４に固定ビス２６で固定された覆い２５とからなり、ファイバ収納ケース１８の床板である第２の支持板２４と立体的な覆い２５との間に形成された空間内に、光ファイバ１７の途中の部分がループ状に丸めて収納される。
【００２８】
第２の支持板２４は、電気配線基板１１の裏面に配置された電子部品等との間に隙間をあけた状態で電気配線基板１１の裏面に面して配置されていて、４本の固定ビス２７によりフレーム２０に着脱自在に固定されている。
【００２９】
導電性を有する第２の支持板２４は、電気配線基板１１よりは小さいが電気配線基板１１と大差のないサイズ（少なくとも、電気配線基板１１の裏面側に電子部品が配置されている範囲より小さくないサイズ）に形成されている。ただし、電気配線基板１１より大きくても差し支えない。その結果、第２の支持板２４は、電気配線基板１１の裏面側にノイズが出入りするのを遮蔽するシールド部材として機能する。
【００３０】
図８は、ファイバ収納ケース１８がフレーム２０から取り外された状態を示しており、４本の固定ビス２７を緩めることで、第２の支持板２４と覆い２５を電気配線基板１１の面に対して垂直方向に取り外すことができる。また、４本の固定ビス２７を締め込むことで、第２の支持板２４をフレーム２０に固定することができる。
【００３１】
このように構成された内視鏡の電気コネクタ装置においては、フレーム２０と第１の支持板２１と第２の支持板２４がいずれもアースされていて、それらにより囲まれた電気配線基板１１が外部のノイズから遮蔽され、また電気配線基板１１から発生するノイズが外部に漏出しない。
【００３２】
そして、各々が板状に形成された第１の支持板２１と第２の支持板２４は、電気配線基板１１の面に対して垂直方向に個別に着脱自在であり、一方を取り外すことで、電気配線基板１１の表裏両面のうち修理や調整に必要な片方だけにアクセスすることができる。
【００３３】
したがって、修理や調整のためにシールド部材（第１、第２の支持板２１，２４）を着脱する際に、配線２２や光ファイバ１７等を破損する恐れが少なくて、電気配線基板１１上の部品にアクセスする作業も容易に行うことができる。
【００３４】
なお、本発明は上記実施例に限定されるものではなく、例えば第１の支持板２１と第２の支持板２４の一方又は両方が複数に分割して形成されていても差し支えない。
【符号の説明】
【００３５】
１０  第２コネクタ部
１１  電気配線基板
１２  ハウジング
１６  フェライトコア
１７  光ファイバ
１８  ファイバ収納ケース
２０  フレーム
２１  第１の支持板
２２  配線
２３  固定ビス
２４  第２の支持板
２７  固定ビス
【図１】
0005863405.tif 000002
【図２】
0005863405.tif 000003
【図３】
0005863405.tif 000004
【図４】
0005863405.tif 000005
【図５】
0005863405.tif 000006
【図６】
0005863405.tif 000007
【図７】
0005863405.tif 000008
【図８】
0005863405.tif 000009